【手続補正書】
【提出日】平成17年7月15日(2005.7.15)
【手続補正１】
【補正対象書類名】明細書
【補正対象項目名】特許請求の範囲
【補正方法】変更
【補正の内容】
【特許請求の範囲】
【請求項１】  噴射信号と副噴射信号を含む一連の制御信号に応答して、インク液滴を噴射するための開口を有する少なくとも一つのノズル、
該開口と流動的に連携する速乾性のインクであって、所要の噴射粘性を有し、空気に露出する上記開口にて、所要の噴射粘性より高い粘性を有するインクのバリヤーを形成し、また、収容器中のインク及び隣接する高粘性バリヤーにより、所要の噴射粘性を一定の粘性に維持し、そして、インクを攪拌することにより、高粘性バリヤーを再均質化するように、化学溶剤の基剤及び所定濃度の固体を有するように選択される上記インクを収容するための収容器、及び、
一連の制御信号を発生するとともに、制御信号の振幅を制御するための制御手段、
を含み、
上記制御手段は、インクが攪拌の対象にされず、所要の噴射粘性より大きい粘性を有するインクのバリヤーが開口に形成され、そして、収容器中のインク及び隣接する高粘性バリヤーが、所要の噴射粘性を一定の粘性に維持する休止期間の後、高粘性バリヤーが所要の噴射粘性に再均質化され、そして、開口からインク液滴を噴射するのには充分でないが、インクを攪拌するのに充分な振幅を有する複数の副噴射信号を発生し、そして、また、
上記制御手段は、高粘性インクバリヤーを再均質化した後、上記ノズルからインク液滴を噴出するのに充分な振幅を有する複数の噴射信号を発生する
ことを特徴とするインパルス式インクジェット印刷機。
【請求項２】  前記副噴射信号の発生が約５秒間続くことを特徴とする請求項１記載のインパルス式インクジェット印刷機。
【請求項３】  前記バリヤーが、該バリヤーの後ろにあるインク中の溶剤の揮発過程を抑制することができるように、所定濃度の固体を有するインクを含むことを特徴とする請求項１記載のインパルス式インクジェット印刷機。
【請求項４】  前記インクが、
着色剤、
プロピレングリコールメチルエーテル、
ジアセトンアルコール、及び、
ポリエステル樹脂とスチレンアクリル樹脂の群から選択される少なくとも一種の樹脂、
を含むことを特徴とする請求項１記載のインパルス式インクジェット印刷機。
【請求項５】  前記プロピレングリコールメチルエーテルが、インクの重量の約４４％を構成することを特徴とする請求項４記載のインパルス式インクジェット印刷機。
【請求項６】  前記ジアセトンアルコールが、インクの重量の約４０．６％を構成することを特徴とする請求項４記載のインパルス式インクジェット印刷機。
【請求項７】  前記ポリエステル樹脂が、インクの重量の約６．３％を構成することを特徴とする請求項４記載のインパルス式インクジェット印刷機。
【請求項８】  前記スチレンアクリル樹脂が、インクの重量の約１．７％を構成することを特徴とする請求項４記載のインパルス式インクジェット印刷機。
【請求項９】  所定のパラメーターを有する制御信号に応答してインク液滴を噴出するための少なくとも一つのノズル、
所要の噴射粘性を有し、該ノズルに配給される速乾性のインクであって、空気に曝された時、所要の噴射粘性より高い粘性を有するインクのバリヤーを形成する配合を備えていて、高粘性バリヤーに隣接するインクが、所要の噴射粘性を、実質的に一定に維持する上記インク、
所要の噴射粘性より大きい粘性を有するインクのバリヤーが、ノズル内で、空気に曝されるインク表面で形成されるように、上記インクが実質的に停滞する休止期間が生じることを決定する手段、及び、
上記休止期間を決定する手段と連携し、高粘性インクバリヤーを所要の噴射粘性に再均質化する制御信号を発生するための手段、
を含むことを特徴とするインパルス式インクジェット印刷機。
【請求項１０】  前記所定のパラメーターが、時間及び振幅の少なくとも一つであることを特徴とする請求項９記載のインパルス式インクジェット印刷機。
【請求項１１】  前記制御信号が、収容器からの新しいインクで、ノズル内のインクを再均質化するように、ノズルからインクを噴出することなく、ノズル内のインクを撹拌するのに充分な振幅を有することを特徴とする請求項10記載のインパルス式インクジェット印刷機。
【請求項１２】  前記インクが、
着色剤、
グリコールエーテル、
ケトンアルコール、及び、
ポリエステル樹脂とスチレンアクリル樹脂の群から選択される少なくとも一種の樹脂、
を含むことを特徴とする請求項９記載のインパルス式インクジェット印刷機。
【請求項１３】  低沸点の前記グリコールエーテルが、プロピレングリコールメチルエーテルを含むことを特徴とする請求項12記載のインパルス式インクジェット印刷機。
【請求項１４】  前記プロピレングリコールメチルエーテルが、インクの重量の約４４％を構成することを特徴とする請求項13記載のインパルス式インクジェット印刷機。
【請求項１５】  前記ケトンアルコールが、ジアセトンアルコールを含むことを特徴とする請求項12記載のインパルス式インクジェット印刷機。
【請求項１６】  前記ジアセトンアルコールが、インクの重量の約４０．６％を構成することを特徴とする請求項15記載のインパルス式インクジェット印刷機。
【請求項１７】  前記ポリエステル樹脂が、インクの重量の約６．３％を構成することを特徴とする請求項12記載のインパルス式インクジェット印刷機。
【請求項１８】  前記スチレンアクリル樹脂が、インクの重量の約１．７％を構成することを特徴とする請求項12記載のインパルス式インクジェット印刷機。
【請求項１９】  少なくとも一つのノズルを有するインパルス式インクジェット印刷機を作動する方法において、
所要の噴射粘性より高い粘性を有するインクのバリヤーが、空気との界面で形成され、該インクバリヤーに隣接するインクが、所要の噴射粘性である一定の粘性を有するように、休止期間の間、所要の噴射粘性を有するノズル内の速乾性のインクの一部を空気に曝す段階、
インク液滴を噴出するのに充分でないが、インクバリヤーを所要の噴射粘性に再均質化するのに充分な振幅を有する複数の副噴射信号を発生する段階、及び、
インク液滴を該ノズルから噴出するのに充分な振幅を有する複数の噴射信号を発生する段階、
を含み、
複数の副噴射信号を発生する段階は、インクが副噴射信号又は噴射信号を受けない休止期間の後で、かつ、複数の噴射信号を発生する段階の前に行われる
ことを特徴とする少なくとも一つのノズルを有するインパルス式インクジェット印刷機を作動する方法。
【請求項２０】  前記複数の副噴射信号を発生する段階が、少なくとも、約５秒の間継続することを特徴とする請求項19記載の少なくとも一つのノズルを有するインパルス式インクジェット印刷機を作動する方法。
【請求項２１】  前記インクが、
着色剤、
グリコールエーテル、
ケトンアルコール、及び、
ポリエステル樹脂とスチレンアクリル樹脂の群から選択される少なくとも一種の樹脂、
を含むことを特徴とする請求項19記載の少なくとも一つのノズルを有するインパルス式インクジェット印刷機を作動する方法。
【請求項２２】  低沸点の前記グリコールエーテルが、プロピレングリコールメチルエーテルを含むことを特徴とする請求項21記載の少なくとも一つのノズルを有するインパルス式インクジェット印刷機を作動する方法。
【請求項２３】  前記プロピレングリコールメチルエーテルが、インクの重量の約４４％を構成することを特徴とする請求項22記載の少なくとも一つのノズルを有するインパルス式インクジェット印刷機を作動する方法。
【請求項２４】  前記ケトンアルコールが、ジアセトンアルコールを含むことを特徴とする請求項21記載の少なくとも一つのノズルを有するインパルス式インクジェット印刷機を作動する方法。
【請求項２５】  前記ジアセトンアルコールが、インクの重量の約４０．６％を構成することを特徴とする請求項24記載の少なくとも一つのノズルを有するインパルス式インクジェット印刷機を作動する方法。
【請求項２６】  前記ポリエステル樹脂が、インクの重量の約６．３％を構成することを特徴とする請求項21記載の少なくとも一つのノズルを有するインパルス式インクジェット印刷機を作動する方法。
【請求項２７】  前記スチレンアクリル樹脂が、インクの重量の約１．７％を構成することを特徴とする請求項21記載の少なくとも一つのノズルを有するインパルス式インクジェット印刷機を作動する方法。
【請求項２８】  制御された振幅を有する噴射信号及び副噴射信号を含む一連の制御信号に応答して、インク収容器からインク液滴を噴出するための少なくとも一つのノズルを含むインパルス式インクジェット印刷機を作動する方法において、
所要の噴射粘性より高い粘性を有するインクのバリヤーが、露出したインク表面に形成されるように、所要の噴射粘性を有する上記ノズル内の速乾性のインクの表面を空気に曝す段階、
インク液滴を噴出するのには充分でないが、上記インクバリヤーが所要の噴射粘性に再均質化されるようにインクを攪拌するのに充分な振幅を有する複数の副噴射信号を発生する段階、及び、
インク液滴を噴出するのに充分な振幅を有する複数の噴射信号を発生する段階、
を含むことを特徴とする少なくとも一つのノズルを有するインパルス式インクジェット印刷機を作動する方法。
【請求項２９】  インパルス式インクジェット印刷機に使用される、化学溶剤を基剤とするインク組成物であって、
着色剤、
グリコールエーテル、
ケトンアルコール、及び、
ポリエステル樹脂とスチレンアクリル樹脂の群から選択される少なくとも一種の樹脂、
を含むことを特徴とするインク組成物。
【請求項３０】  低沸点の前記グリコールエーテルが、プロピレングリコールメチルエーテルを含むことを特徴とする請求項29記載のインク組成物。
【請求項３１】  前記プロピレングリコールメチルエーテルが、インクの重量の約４４％を構成することを特徴とする請求項30記載のインク組成物。
【請求項３２】  前記ケトンアルコールが、ジアセトンアルコールを含むことを特徴とする請求項29記載のインク組成物。
【請求項３３】  前記ジアセトンアルコールが、インクの重量の約４０．６％を構成することを特徴とする請求項32記載のインク組成物。
【請求項３４】  前記ポリエステル樹脂が、インクの重量の約６．３％を構成することを特徴とする請求項29記載のインク組成物。
【請求項３５】  前記スチレンアクリル樹脂が、インクの重量の約１．７％を構成することを特徴とする請求項29記載のインク組成物。
【請求項３６】  着色剤と、他に、
プロピレングリコールメチルエーテル：約４４重量％、
ジアセトンアルコール：約４０．６重量％、
ポリエステル樹脂：約６．３重量％、及び、
スチレンアクリル樹脂：約１．７重量％、
を含むことを特徴とするインク組成物。
【請求項３７】  インパルス式インクジェット印刷機に使用されるインク組成物であって、
着色剤、
グリコールエーテル、
ケトンアルコール、及び、
ポリエステル樹脂とスチレンアクリル樹脂の群から選択される少なくとも一種の樹脂、
を含み、かつ、実質的に水を含まないことを特徴とするインク組成物。
【請求項３８】  前記グリコールエーテルが、プロピレングリコールメチルエーテルを含むことを特徴とする請求項37記載のインク組成物。
【請求項３９】  前記プロピレングリコールメチルエーテルが、インクの重量の約４４％を構成することを特徴とする請求項38記載のインク組成物。
【請求項４０】  前記ケトンアルコールが、ジアセトンアルコールを含むことを特徴とする請求項37記載のインク組成物。
【請求項４１】  前記ジアセトンアルコールが、インクの重量の約４０．６％を構成することを特徴とする請求項40記載のインク組成物。
【請求項４２】  前記ポリエステル樹脂が、インクの重量の約６．３％を構成することを特徴とする請求項37記載のインク組成物。
【請求項４３】  前記スチレンアクリル樹脂が、インクの重量の約１．７％を構成することを特徴とする請求項37記載のインク組成物。
【手続補正２】
【補正対象書類名】図面
【補正対象項目名】図５
【補正方法】変更
【補正の内容】
【図５】
2001512707.tif 000001